(57)【要約】【課題】大型化を抑制しつつ光学部材の位置決め精度を担保する光学装置及びこれを有する画像表示装置の提供。【解決手段】光学部材１９ａ、２１ａ、１０２、１０４、１０６、１０８により光束を折り曲げる光学装置１００であって、折り曲げられた光束を囲むように設けられた壁面５１ａ’、５１ｂ’、５１ｃ’、５１ｄ’、５１ｅ’、５１ｆ’、５１ｇ’、５１ｈ’、５１ｘ’を有する光学装置１００及びこれを有する画像表示装置。【選択図】図３
2007178944.tif 000002
【特許請求の範囲】
【請求項１】
光学部材により光束を折り曲げる光学装置であって、
折り曲げられた前記光束を囲むように設けられた壁面を有することを特徴とする光学装置。
【請求項２】
前記壁面が、前記光束が出射する出射壁面と、この出射壁面に隣設された複数の隣設壁面とを有し、この隣設壁面が前記光学部材を支持したことを特徴とする請求項１に記載の光学装置。
【請求項３】
前記壁面が、前記光束が入射する入射壁面と、前記光束が出射する出射壁面との少なくとも一方を有することを特徴とする請求項１に記載の光学装置。
【請求項４】
前記壁面が、前記光束が入射する入射壁面と、前記光束が出射する出射壁面とを有し、前記入射壁面と前記出射壁面とが対向することを特徴とする請求項１に記載の光学装置。
【請求項５】
前記壁面に対する前記光学部材の位置決めを行なう位置調整手段を有することを特徴とする請求項１〜４のいずれか１項に記載の光学装置。
【請求項６】
前記壁面が、折り曲げられた前記光束によって形成される基準面に垂直であることを特徴とする請求項１〜５のいずれか１項に記載の光学装置。
【請求項７】
前記光学部材を前記基準面に直交する方向において対称に配設したことを特徴とする請求項６に記載の光学装置。
【請求項８】
前記壁面を有する部材が樹脂製であることを特徴とする請求項１〜７のいずれか１項に記載の光学装置。
【請求項９】
前記壁面の内側が黒色であることを特徴とする請求項１〜８のいずれか１項に記載の光学装置。
【請求項１０】
前記光学部材を備え前記光束を走査する第１の走査系と、前記第１の走査系と交差する方向に操作する第２の走査系とを有し、これらの走査系による走査面の何れか一方が前記壁面と垂直であることを特徴とする請求項１〜９のいずれか１項に記載の光学装置。
【請求項１１】
前記壁面を形成し前記光学部材を支持する支持部材を有することを特徴とする請求項１〜８のいずれか１項に記載の光学装置。
【請求項１２】
前記支持部材が中実であることを特徴とする請求項１１に記載の光学装置。
【請求項１３】
前記光学部材を前記壁面に支持したことを特徴とする請求項１２に記載の光学装置。
【請求項１４】
前記光学部材を支持した前記壁面に同光学部材を係合させて位置決めするための位置決め手段を有することを特徴とする請求項１３に記載の光学装置。
【請求項１５】
前記支持部材を保持する保持部材を有し、前記支持部材が前記壁面をその外面とする壁部を有することを特徴とする請求項１１に記載の光学装置。
【請求項１６】
前記壁部を複数備え、その何れもが他の複数の壁部又は前記保持部材と隣設されていることを特徴とする請求項１５に記載の光学装置。
【請求項１７】
前記壁部と前記保持部材とにより、折り曲げられた前記光束を囲む箱形状を構成することを特徴とする請求項１６に記載の光学装置。
【請求項１８】
前記光学部材を前記壁部に支持したことを特徴とする請求項１５〜１７のいずれか１項に記載の光学装置。
【請求項１９】
前記光学部材を支持した前記壁部に同光学部材を係合させて位置決めするための位置決め手段を有することを特徴とする請求項１８に記載の光学装置。
【請求項２０】
前記光学部材を支持した前記壁部の厚み及び／又は高さを、支持した前記光学素子に応じて設定したことを特徴とする請求項１８又は請求項１９に記載の光学装置。
【請求項２１】
前記光学部材を支持した前記壁部の厚みを、前記光束の光路長が所望の光路長となるように設定したことを特徴とする請求項１８〜２０のいずれか１項に記載の光学装置。
【請求項２２】
前記光学部材を支持した前記壁部が、その外側の前記壁面に同光学部材を支持しているとともに、同光学部材により折り曲げられる前記光束を透過する開口を有することを特徴とする請求項１８〜２１のいずれか１項に記載の光学装置。
【請求項２３】
前記壁部の外側の前記壁面に支持された前記光学部材が前記光束を反射する反射部材であることを特徴とする請求項２２に記載の光学装置。
【請求項２４】
前記開口の周縁が、この開口を有する前記壁部の内側に向けて拡開したテーパー形状をなしていることを特徴とする請求項２２又は請求項２３に記載の光学装置。
【請求項２５】
前記開口を有する前記壁部が、支持した前記光学部材を複数箇所で支持していることを特徴とする請求項２２〜２４のいずれか１項に記載の光学装置。
【請求項２６】
前記開口が、同開口を有する前記壁部により支持される前記光学部材より小さいことを特徴とする請求項２２〜２５のいずれか１項に記載の光学装置。
【請求項２７】
前記壁部が、他の前記壁部に着脱可能であることを特徴とする請求項１６〜２６のいずれか１項に記載の光学装置。
【請求項２８】
前記他の前記壁部に着脱可能な前記壁部を含む第１の箱状部と、前記他の前記壁部を含む第２の箱状部とを有し、第１の箱状部が第２の箱状部に着脱可能であることを特徴とする請求項２７に記載の光学装置。
【請求項２９】
折り曲げられた前記光束の全周囲を囲むように少なくとも前記壁部と前記保持部材とを備えていることを特徴とする請求項１６〜２８のいずれか１項に記載の光学装置。
【請求項３０】
眼の網膜上に前記光束によって形成される画像を投影表示する網膜走査型の画像表示装置であって、請求項１〜２９のいずれか１項に記載の光学装置を備えたことを特徴とする画像表示装置。
【請求項３１】
スクリーン上に前記光束によって形成される画像を投影表示するスクリーン走査型の画像表示装置であって、請求項１〜２９のいずれか１項に記載の光学装置を備えたことを特徴とする画像表示装置。
【発明の詳細な説明】
【技術分野】
【０００１】
本発明は、光学部材により光束を折り曲げる光学装置及びこれを有する網膜走査型、スクリーン走査型の画像表示装置に関する。
【背景技術】
【０００２】
従来、画像を表示するための画像表示装置等には、ミラー等の光学部材を備え光束を折り曲げるための光学装置などが含まれている。光学装置は、かかる光学装置を支持する支持構造を有しているが、従来の支持構造は、光学部材を下方からいわゆる片持ちによって支持するものや、光学部材を上下方向から挟むようにして支持するものであった。
【発明の開示】
【発明が解決しようとする課題】
【０００３】
しかしながら、光学装置においては光学部材の位置決め精度が高い水準で要求されるにもかかわらず、光学部材を片持ちによって支持するかかる構造は、その精度を確保することが困難であるという問題がある。
【０００４】
光学部材を上下方向から挟むようにして支持する構造は、光学部材の位置決め精度は高いものの、光学部材を上下から挟む部材の厚さ分だけ高さ方向の大きさが大きくならざるを得ず、光学装置の大型化を招いてしまうという問題がある。
また、位置決め精度の担保のためには、かかる部材に、光学部材の位置決めを行なうための突起等を設ける必要があるが、かかる突起等は光を遮ってしまうため、突起等の大きさ分だけ光学部材の光学的な有効範囲が小さくなる。したがってかかる有効範囲を十分にとるためには、光学部材の高さを大きくするなどの必要があり、やはり光学部材の大型化を招いてしまうという問題がある。
【０００５】
本発明は、上述したような課題に鑑みてなされたものであり、大型化を抑制しつつ光学部材の位置決め精度を担保する光学装置及びこれを有する画像表示装置を提供することを目的とする。
【課題を解決するための手段】
【０００６】
以上のような目的を達成するため、請求項１記載の発明は、光学部材により光束を折り曲げる光学装置であって、折り曲げられた前記光束を囲むように設けられた壁面を有することを特徴とする光学装置にある。
【０００７】
請求項２記載の発明は、前記壁面が、前記光束が出射する出射壁面と、この出射壁面に隣設された複数の隣設壁面とを有し、この隣設壁面が前記光学部材を支持したことを特徴とする請求項１に記載の光学装置にある。
【０００８】
請求項３記載の発明は、前記壁面が、前記光束が入射する入射壁面と、前記光束が出射する出射壁面との少なくとも一方を有することを特徴とする請求項１に記載の光学装置にある。
【０００９】
請求項４記載の発明は、前記壁面が、前記光束が入射する入射壁面と、前記光束が出射する出射壁面とを有し、前記入射壁面と前記出射壁面とが対向することを特徴とする請求項１に記載の光学装置にある。
【００１０】
請求項５記載の発明は、前記壁面に対する前記光学部材の位置決めを行なう位置調整手段を有することを特徴とする請求項１〜４のいずれか１項に記載の光学装置にある。
【００１１】
請求項６記載の発明は、前記壁面が、折り曲げられた前記光束によって形成される基準面に垂直であることを特徴とする請求項１〜５のいずれか１項に記載の光学装置にある。
【００１２】
請求項７記載の発明は、前記光学部材を前記基準面に直交する方向において対称に配設したことを特徴とする請求項６に記載の光学装置にある。
【００１３】
請求項８記載の発明は、前記壁面を有する部材が樹脂製であることを特徴とする請求項１〜７のいずれか１項に記載の光学装置にある。
【００１４】
請求項９記載の発明は、前記壁面の内側が黒色であることを特徴とする請求項１〜８のいずれか１項に記載の光学装置にある。
【００１５】
請求項１０記載の発明は、前記光学部材を備え前記光束を走査する第１の走査系と、前記第１の走査系と交差する方向に操作する第２の走査系とを有し、これらの走査系による走査面の何れか一方が前記壁面と垂直であることを特徴とする請求項１〜９のいずれか１項に記載の光学装置にある。
【００１６】
請求項１１記載の発明は、前記壁面を形成し前記光学部材を支持する支持部材を有することを特徴とする請求項１〜８のいずれか１項に記載の光学装置にある。
【００１７】
請求項１２記載の発明は、前記支持部材が中実であることを特徴とする請求項１１に記載の光学装置にある。
【００１８】
請求項１３記載の発明は、前記光学部材を前記壁面に支持したことを特徴とする請求項１２に記載の光学装置にある。
【００１９】
請求項１４記載の発明は、前記光学部材を支持した前記壁面に同光学部材を係合させて位置決めするための位置決め手段を有することを特徴とする請求項１３に記載の光学装置にある。
【００２０】
請求項１５記載の発明は、前記支持部材を保持する保持部材を有し、前記支持部材が前記壁面をその外面とする壁部を有することを特徴とする請求項１１に記載の光学装置にある。
【００２１】
請求項１６記載の発明は、前記壁部を複数備え、その何れもが他の複数の壁部又は前記保持部材と隣設されていることを特徴とする請求項１５に記載の光学装置にある。
【００２２】
請求項１７記載の発明は、前記壁部と前記保持部材とにより、折り曲げられた前記光束を囲む箱形状を構成することを特徴とする請求項１６に記載の光学装置にある。
【００２３】
請求項１８記載の発明は、前記光学部材を前記壁部に支持したことを特徴とする請求項１５〜１７のいずれか１項に記載の光学装置にある。
【００２４】
請求項１９記載の発明は、前記光学部材を支持した前記壁部に同光学部材を係合させて位置決めするための位置決め手段を有することを特徴とする請求項１８に記載の光学装置にある。
【００２５】
請求項２０記載の発明は、前記光学部材を支持した前記壁部の厚み及び／又は高さを、支持した前記光学素子に応じて設定したことを特徴とする請求項１８又は請求項１９に記載の光学装置にある。
【００２６】
請求項２１記載の発明は、前記光学部材を支持した前記壁部の厚みを、前記光束の光路長が所望の光路長となるように設定したことを特徴とする請求項１８〜２０のいずれか１項に記載の光学装置にある。
【００２７】
請求項２２記載の発明は、前記光学部材を支持した前記壁部が、その外側の前記壁面に同光学部材を支持しているとともに、同光学部材により折り曲げられる前記光束を透過する開口を有することを特徴とする請求項１８〜２１のいずれか１項に記載の光学装置にある。
【００２８】
請求項２３記載の発明は、前記壁部の外側の前記壁面に支持された前記光学部材が前記光束を反射する反射部材であることを特徴とする請求項２２に記載の光学装置にある。
【００２９】
請求項２４記載の発明は、前記開口の周縁が、この開口を有する前記壁部の内側に向けて拡開したテーパー形状をなしていることを特徴とする請求項２２又は請求項２３に記載の光学装置にある。
【００３０】
請求項２５記載の発明は、前記開口を有する前記壁部が、支持した前記光学部材を複数箇所で支持していることを特徴とする請求項２２〜２４のいずれか１項に記載の光学装置にある。
【００３１】
請求項２６記載の発明は、前記開口が、同開口を有する前記壁部により支持される前記光学部材より小さいことを特徴とする請求項２２〜２５のいずれか１項に記載の光学装置にある。
【００３２】
請求項２７記載の発明は、前記壁部が、他の前記壁部に着脱可能であることを特徴とする請求項１６〜２６のいずれか１項に記載の光学装置にある。
【００３３】
請求項２８記載の発明は、前記他の前記壁部に着脱可能な前記壁部を含む第１の箱状部と、前記他の前記壁部を含む第２の箱状部とを有し、第１の箱状部が第２の箱状部に着脱可能であることを特徴とする請求項２７に記載の光学装置にある。
【００３４】
請求項２９記載の発明は、折り曲げられた前記光束の全周囲を囲むように少なくとも前記壁部と前記保持部材とを備えていることを特徴とする請求項１６〜２８のいずれか１項に記載の光学装置にある。
【００３５】
請求項３０記載の発明は、眼の網膜上に前記光束によって形成される画像を投影表示する網膜走査型の画像表示装置であって、請求項１〜２９のいずれか１項に記載の光学装置を備えたことを特徴とする画像表示装置にある。
【００３６】
請求項３１記載の発明は、スクリーン上に前記光束によって形成される画像を投影表示するスクリーン走査型の画像表示装置であって、請求項１〜２９のいずれか１項に記載の光学装置を備えたことを特徴とする画像表示装置にある。
【発明の効果】
【００３７】
請求項１記載の発明は、光学部材により光束を折り曲げる光学装置であって、折り曲げられた前記光束を囲むように設けられた壁面を有することを特徴とする光学装置にあるので、光束を折り畳むようにして光路を形成することで、大型化を抑制することができるとともに、壁面によって光学部材の位置決め精度を担保することができる、光学特性に優れた光学装置を提供することができる。
【００３８】
請求項２記載の発明は、前記壁面が、前記光束が出射する出射壁面と、この出射壁面に隣設された複数の隣設壁面とを有し、この隣設壁面が前記光学部材を支持したことを特徴とする請求項１に記載の光学装置にあるので、出射壁面に隣り合う隣設壁面において支持した光学部材で光束を折り曲げ、出射壁面からその光束を出射するようにして、光束を折り畳むように光路を形成することで、大型化をより抑制することができるとともに、壁面によって光学部材の位置決め精度を担保することができる、光学特性に優れた光学装置を提供することができる。
【００３９】
請求項３記載の発明は、前記壁面が、前記光束が入射する入射壁面と、前記光束が出射する出射壁面との少なくとも一方を有することを特徴とする請求項１に記載の光学装置にあるので、光束を入射壁面から入射させることや光束を出射壁面から出射させるようにして、光束を折り畳むように光路を形成することで、大型化を抑制することができるとともに、壁面によって光学部材の位置決め精度を担保することができる、光学特性に優れた光学装置を提供することができる。
【００４０】
請求項４記載の発明は、前記壁面が、前記光束が入射する入射壁面と、前記光束が出射する出射壁面とを有し、前記入射壁面と前記出射壁面とが対向することを特徴とする請求項１に記載の光学装置にあるので、互いに対向する入射壁面から光束が入射し出射壁面から光束が出射する態様で光束を折り畳むように光路を形成することで、大型化をより抑制することができるとともに、壁面によって光学部材の位置決め精度を担保することができる、光学特性に優れた光学装置を提供することができる。
【００４１】
請求項５記載の発明は、前記壁面に対する前記光学部材の位置決めを行なう位置調整手段を有することを特徴とする請求項１〜４のいずれか１項に記載の光学装置にあるので、光束を折り畳むように光路を形成することで、大型化を抑制することができるとともに、壁面及び位置調整手段によって光学部材の位置決め精度を担保することができる、光学特性に優れた光学装置を提供することができる。
【００４２】
請求項６記載の発明は、前記壁面が、折り曲げられた前記光束によって形成される基準面に垂直であることを特徴とする請求項１〜５のいずれか１項に記載の光学装置にあるので、光束を折り畳むように光路を形成することで、大型化を抑制することができるとともに、基準面に垂直な壁面によって光学部材の面倒れを防止すること等により光学部材の位置決め精度を担保することができる、光学特性に優れた光学装置を提供することができる。
【００４３】
請求項７記載の発明は、前記光学部材を前記基準面に直交する方向において対称に配設したことを特徴とする請求項６に記載の光学装置にあるので、光束を折り畳むように光路を形成することで、大型化を抑制することができるとともに、基準面に垂直な壁面及びこの壁面に光学部材を基準面に直交する方向で対称に配設することによって光学部材の面倒れをより良好に防止すること等により光学部材の位置決め精度を担保することができる、光学特性に優れた光学装置を提供することができる。
【００４４】
請求項８記載の発明は、前記壁面を有する部材が樹脂製であることを特徴とする請求項１〜７のいずれか１項に記載の光学装置にあるので、光束を折り畳むようにして光路を形成することで、大型化を抑制することができるとともに、壁面の形成を必要に応じて所望の大きさ、形状に容易に行うことができ、壁面によって光学部材の位置決め精度を担保することができる、光学特性に優れた光学装置を提供することができる。
【００４５】
請求項９記載の発明は、前記壁面の内側が黒色であることを特徴とする請求項１〜８のいずれか１項に記載の光学装置にあるので、光束を折り畳むようにして光路を形成することで、大型化を抑制することができるとともに、壁面によって光学部材の位置決め精度を担保することができ、またゴースト現象等を防止できる、光学特性に優れた光学装置を提供することができる。
【００４６】
請求項１０記載の発明は、前記光学部材を備え前記光束を走査する第１の走査系と、前記第１の走査系と交差する方向に操作する第２の走査系とを有し、これらの走査系による走査面の何れか一方が前記壁面と垂直であることを特徴とする請求項１〜９のいずれか１項に記載の光学装置にあるので、光束を折り畳むようにして光路を形成することで、大型化を抑制することができるとともに、走査面に垂直な壁面によって光学部材の位置決め精度を担保することができる、光学特性に優れた光学装置を提供することができる。
【００４７】
請求項１１記載の発明は、前記壁面を形成し前記光学部材を支持する支持部材を有することを特徴とする請求項１〜８のいずれか１項に記載の光学装置にあるので、光束を折り畳むようにして光路を形成することで、大型化を抑制することができるとともに、支持部材により形成された壁面によって光学部材の位置決め精度を担保することができる、光学特性に優れた光学装置を提供することができる。
【００４８】
請求項１２記載の発明は、前記支持部材が中実であることを特徴とする請求項１１に記載の光学装置にあるので、光束を折り畳むようにして光路を形成することで、大型化を抑制することができるとともに、強度に優れる中実の支持部材により形成された壁面によって光学部材の位置決め精度を担保することができる、光学特性に優れた光学装置を提供することができる。
【００４９】
請求項１３記載の発明は、前記光学部材を前記壁面に支持したことを特徴とする請求項１２に記載の光学装置にあるので、光束を折り畳むようにして光路を形成することで、大型化を抑制することができるとともに、強度に優れる中実の支持部材により形成された壁面によって光学部材を精度良く位置決めできる、光学特性に優れた光学装置を提供することができる。
【００５０】
請求項１４記載の発明は、前記光学部材を支持した前記壁面に同光学部材を係合させて位置決めするための位置決め手段を有することを特徴とする請求項１３に記載の光学装置にあるので、光束を折り畳むようにして光路を形成することで、大型化を抑制することができるとともに、強度に優れる中実の支持部材によって形成された壁面に、位置決め手段よって光学部材をさらに精度良く位置決めできる、光学装置を提供することができる。
【００５１】
請求項１５記載の発明は、前記支持部材を保持する保持部材を有し、前記支持部材が前記壁面をその外面とする壁部を有することを特徴とする請求項１１に記載の光学装置にあるので、大型化を抑制することができるとともに、保持部材で保持された支持部材の壁部により形成された壁面によって光学部材の位置決め精度を担保することができる、光学特性に優れた光学装置を提供することができる。
【００５２】
請求項１６記載の発明は、前記壁部を複数備え、その何れもが他の複数の壁部又は前記保持部材と隣設されていることを特徴とする請求項１５に記載の光学装置にあるので、大型化を抑制することができるとともに、保持部材で保持された、強度の高い支持部材の壁部により形成された壁面によって光学部材の位置決め精度を担保することができる、光学特性に優れた光学装置を提供することができる。
【００５３】
請求項１７記載の発明は、前記壁部と前記保持部材とにより、折り曲げられた前記光束を囲む箱形状を構成することを特徴とする請求項１６に記載の光学装置にあるので、大型化を抑制することができるとともに、保持部材で保持された、強度の高い支持部材の壁部により形成された壁面によって光学部材の位置決め精度をさらに担保することができる、光学特性により優れた光学装置を提供することができる。
【００５４】
請求項１８記載の発明は、前記光学部材を前記壁部に支持したことを特徴とする請求項１５〜１７のいずれか１項に記載の光学装置にあるので、保持部材で保持された支持部材の壁部により形成された壁面によって光学部材を精度良く位置決めできる、光学特性に優れた光学装置を提供することができる。
【００５５】
請求項１９記載の発明は、前記光学部材を支持した前記壁部に同光学部材を係合させて位置決めするための位置決め手段を有することを特徴とする請求項１８に記載の光学装置にあるので、保持部材で保持された支持部材の壁部により形成された壁面に位置決め手段によって光学部材をさらに精度良く位置決めできる、光学特性にさらに優れた光学装置を提供することができる。
【００５６】
請求項２０記載の発明は、前記光学部材を支持した前記壁部の厚み及び／又は高さを、支持した前記光学素子に応じて設定したことを特徴とする請求項１８又は請求項１９に記載の光学装置にあるので、保持部材で保持された支持部材の壁部により形成された壁面によって、光学部材を、その形状や大きさに応じて精度良く位置決めできる、光学特性に優れた光学装置を提供することができる。
【００５７】
請求項２１記載の発明は、前記光学部材を支持した前記壁部の厚みを、前記光束の光路長が所望の光路長となるように設定したことを特徴とする請求項１８〜２０のいずれか１項に記載の光学装置にあるので、保持部材で保持された支持部材の壁部により形成された壁面によって光学部材を精度良く、治具等を用いることなく所望の光路長を形成するように位置決めできる、光学特性に優れた光学装置を提供することができる。
【００５８】
請求項２２記載の発明は、前記光学部材を支持した前記壁部が、その外側の前記壁面に同光学部材を支持しているとともに、同光学部材により折り曲げられる前記光束を透過する開口を有することを特徴とする請求項１８〜２１のいずれか１項に記載の光学装置にあるので、保持部材で保持された支持部材の壁部により形成された、光束を透過する開口を有する壁面によって、光学部材を、精度良く且つ容易に位置決めできる、光学特性に優れた光学装置を提供することができる。
【００５９】
請求項２３記載の発明は、前記壁部の外側の前記壁面に支持された前記光学部材が前記光束を反射する反射部材であることを特徴とする請求項２２に記載の光学装置にあるので、保持部材で保持された支持部材の壁部により形成された、反射部材である光学部材への入反射光を透過する開口を有する壁面によって、反射部材としての光学部材を、精度良く且つ容易に位置決めできる、光学特性に優れた光学装置を提供することができる。
【００６０】
請求項２４記載の発明は、前記開口の周縁が、この開口を有する前記壁部の内側に向けて拡開したテーパー形状をなしていることを特徴とする請求項２２又は請求項２３に記載の光学装置にあるので、保持部材で保持された支持部材の壁部により形成された、光束を透過する開口であって、その周縁がテーパー形状であることにより壁部の強度を大きくすることができる開口を有する壁面によって、光学部材を、さらに精度良く且つ容易に位置決めできる、光学特性にさらに優れた光学装置を提供することができる。
【００６１】
請求項２５記載の発明は、前記開口を有する前記壁部が、支持した前記光学部材を複数箇所で支持していることを特徴とする請求項２２〜２４のいずれか１項に記載の光学装置にあるので、保持部材で保持された支持部材の壁部により形成された、光束を透過する開口を有する壁面によって、光学部材を複数個所で支持することで、さらに精度良く且つ容易に位置決めできる、光学特性にさらに優れた光学装置を提供することができる。
【００６２】
請求項２６記載の発明は、前記開口が、同開口を有する前記壁部により支持される前記光学部材より小さいことを特徴とする請求項２２〜２５のいずれか１項に記載の光学装置にあるので、保持部材で保持された支持部材の壁部により形成された、光束を確実に透過する開口を有する壁面によって、光学部材を、精度良く且つ容易に位置決めできる、光学特性に優れた光学装置を提供することができる。
【００６３】
請求項２７記載の発明は、前記壁部が、他の前記壁部に着脱可能であることを特徴とする請求項１６〜２６のいずれか１項に記載の光学装置にあるので、大型化を抑制することができるとともに、保持部材で保持された、強度の高い支持部材の壁部により形成された壁面によって光学部材の位置決め精度を担保することができる、組み立て容易で光学特性に優れた光学装置を提供することができる。
【００６４】
請求項２８記載の発明は、前記他の前記壁部に着脱可能な前記壁部を含む第１の箱状部と、前記他の前記壁部を含む第２の箱状部とを有し、第１の箱状部が第２の箱状部に着脱可能であることを特徴とする請求項２７に記載の光学装置にあるので、大型化を抑制することができるとともに、保持部材で保持された、強度の高い支持部材の壁部により形成された壁面によって光学部材の位置決め精度を担保することができる、各部の強度が高いことで光学部材の位置決め精度を高いレベルで担保可能であり、組み立て容易で光学特性に優れた光学装置を提供することができる。
【００６５】
請求項２９記載の発明は、折り曲げられた前記光束の全周囲を囲むように少なくとも前記壁部と前記保持部材とを備えていることを特徴とする請求項１６〜２８のいずれか１項に記載の光学装置にあるので、大型化を抑制することができるとともに、保持部材で保持された、強度の高い支持部材の壁部により形成された壁面によって光学部材の位置決め精度を担保することができ、また壁部を環状としたことで迷光が外部に漏れることがなく、特にこれを網膜走査型の画像表示装置に搭載した場合に予期せぬ光が観察者の眼に入射して観察者が認識する画像の画質を劣化ないし低下させることを防止でき、光学特性に優れた光学装置を提供することができる。
【００６６】
請求項３０記載の発明は、眼の網膜上に前記光束によって形成される画像を投影表示する網膜走査型の画像表示装置であって、請求項１〜２９のいずれか１項に記載の光学装置を備えたことを特徴とする画像表示装置にあるので、光束を折り畳むようにして光路を形成することで、大型化を抑制することができるとともに、壁面によって光学部材の位置決め精度を担保することができる、光学特性に優れた、網膜走査型の画像表示装置にとって特に優れた特性を備えた画像表示装置を提供することができる。
【００６７】
請求項３１記載の発明は、スクリーン上に前記光束によって形成される画像を投影表示するスクリーン走査型の画像表示装置であって、請求項１〜２９のいずれか１項に記載の光学装置を備えたことを特徴とする画像表示装置にあるので、光束を折り畳むようにして光路を形成することで、大型化を抑制することができるとともに、壁面によって光学部材の位置決め精度を担保することができる、光学特性に優れた、網膜走査型の画像表示装置にとって優れた特性を備えた画像表示装置を提供することができる。
【発明を実施するための最良の形態】
【００６８】
以下に、本発明に好適な実施形態を図面に基づいて説明する。
【００６９】
［画像表示装置の構成］
以下、本発明に係る画像表示装置の一実施の形態について図面を用いて説明する。まず、本発明に係る画像表示装置の一例である網膜走査型ディスプレイ１の構成について図１を用いて説明する。
【００７０】
図１に示すように、網膜走査型ディスプレイ１には、外部から供給される映像信号を処理するための光源ユニット部２が設けられている。光源ユニット部２には、外部からの映像信号が入力され、それに基づいて映像を合成するための要素となる各信号を発生する映像信号供給回路３が設けられ、この映像信号供給回路３から映像信号４、垂直同期信号５、及び、水平同期信号６が出力される。また、光源ユニット部２には、映像信号供給回路３から映像信号４として伝達される赤（Ｒ），緑（Ｇ），青（Ｂ）の各映像信号をもとにそれぞれ強度変調されたレーザ光を出射するように、光源としてのＲレーザ１３，Ｇレーザ１２，Ｂレーザ１１を、それぞれ駆動するためのＲレーザドライバ１０，Ｇレーザドライバ９，Ｂレーザドライバ８が設けられている。さらに、各レーザより出射されたレーザ光を平行光にコリメートするように設けられたコリメート光学系１４と、それぞれコリメートされたレーザ光を合波するダイクロイックミラー１５と、合波されたレーザ光を光ファイバ１７に導く結合光学系１６とが設けられている。尚、Ｒレーザ１３，Ｇレーザ１２，Ｂレーザ１１として、レーザダイオード等の半導体レーザや固体レーザを利用してもよい。尚、本実施形態における光源ユニット部２は、少なくとも１つの光源と、当該光源から出射される光束を画像信号に応じて強度変調する変調手段の一例に相当する。
【００７１】
また、網膜走査型ディスプレイ１は、光源ユニット部２から伝搬された光束としてのレーザ光を後述する光学装置１００に導く第１リレー光学系１８と、第１リレー光学系１８によって導かれたレーザ光を走査する光学装置１００と、光学装置１００によって走査されたレーザ光を観察者の瞳孔２４に導く第３リレー光学系を有している。
【００７２】
光学装置１００は、第１リレー光学系１８によって導かれコリメートされたレーザ光を、ガルバノミラー１９ａを利用して垂直方向に走査する第１の走査系としての垂直走査系１９と、垂直走査系１９によって走査されたレーザ光を第２の走査系としての水平走査系２１に導く第２リレー光学系２０と、垂直走査系１９に走査され、第２リレー光学系２０を介して入射されたレーザ光を、ガルバノミラー２１ａを利用して水平方向に走査する水平走査系２１と、ガルバノミラー１９ａ、第２リレー光学系２０、ガルバノミラー２１ａを支持する図３に示す支持構造５０とを有している。
【００７３】
第２リレー光学系２０は、垂直走査系１９のガルバノミラー１９ａと、水平走査系２１のガルバノミラー２１ａとが共役となるように、また、第３リレー光学系２２は、ガルバノミラー２１ａと、観察者の瞳孔２４とが共役となるように、各々設けられている。第３リレー光学系２２は、光学装置１００の水平走査系２１によって走査されたレーザ光を観察者の瞳孔２４に入射させるものである。
【００７４】
尚、具体的な一例としては、垂直走査系１９は、表示すべき画像の１走査線ごとに、レーザビームを垂直方向に垂直走査する垂直走査（１次走査の一例）を行う光学系である。また、垂直走査系１９は、レーザビームを垂直方向に走査するガルバノミラー１９ａと、そのガルバノミラー１９ａの駆動制御を行う垂直走査制御回路１９ｃとを備えている。
【００７５】
これに対し、水平走査系２１は、表示すべき画像の１フレームごとに、レーザビームを最初の走査線から最後の走査線に向かって水平に走査する水平走査（２次走査の一例）を行う光学系である。また、水平走査系２１は、水平走査するガルバノミラー２１ａと、そのガルバノミラー２１ａの駆動制御を行う水平走査制御回路２１ｃとを備えている。
よって、垂直走査系１９と水平走査系２１とは互いに交差する方向に走査を行うようになっている。
【００７６】
垂直走査系１９は、水平走査系２１より高速にすなわち高周波数でレーザビームを走査するように設計されている。また、垂直走査系１９は、ビーム光を垂直走査角度で走査させ、水平走査系２１は、ビーム光を水平走査角度で走査させるが、本実施形態においては、垂直走査角度が、水平走査角度よりも小さく設定されている。これは、図２（ａ）に示すように、画像の表示範囲１５２が、水平方向Ｘよりも垂直方向Ｙのほうが短いため、ビーム光の走査軌跡ｓも、水平方向Ｘよりも垂直方向Ｙのほうが短くなるためであり、よって、垂直方向への垂直走査角度が、水平方向への水平走査角度よりも小さくなる。このため、図２（ｂ）に示すように、先に走査角度を大きくしなければならない水平方向に走査させた後に、走査角度が小さくて済む垂直方向に走査させ、ビーム光を走査させる構成と比べて、図２（ａ）に示すように、先に走査角度が小さくて済む垂直方向に走査させた後に、走査角度を大きくしなければならない水平方向に走査させたほうが、省スペース化を図ることができる。
【００７７】
尚、本実施形態においては、ビーム光を高速で走査させる走査系（高速走査系）として、走査角度が小さい垂直走査系１９を、ビーム光を低速で走査させる走査系（低速走査系）として、走査角度が大きい水平走査系２１を採用したが、例えばＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）などの通常の映像信号は水平走査が高速走査に該当するため、図示はしないが、映像信号供給回路３で水平走査が低速走査に、垂直走査が高速走査になるように映像信号をデジタルデータ化しデータ変換している。もちろん、映像信号供給回路３に入力される映像信号が、垂直走査系１９が高速走査であるような信号形式であると想定すれば、上述した変換処理は特に必要とせず実施可能である。
【００７８】
尚、本実施形態においては、ビーム光を高速で走査させる走査系（高速走査系）として、走査角度が小さい垂直走査系１９を、ビーム光を低速で走査させる走査系（低速走査系）として、走査角度が大きい水平走査系２１を採用したが、これに限らず、例えば、ビーム光を高速で走査させる走査系（高速走査系）として、走査角度が大きい水平走査系２１を、ビーム光を低速で走査させる走査系（低速走査系）として、走査角度が小さい垂直走査系１９を採用してもよい。
【００７９】
つまり、垂直方向（１次方向の一例）に走査される垂直走査角度（１次走査角度の一例）は、水平方向（２次方向の一例）に走査される水平走査角度（２次走査角度の一例）よりも小さく設定されているので、垂直方向に走査するビーム光の走査幅を、水平方向に走査するビーム光の走査幅より小さくすることができるため、走査されるビーム光の光路を考慮すると、垂直走査系１９に向かうビーム光を導く第１リレー光学系１８、垂直走査系１９、垂直走査系１９から水平走査系２１に向かうビーム光を導く第２リレー光学系２０などが設けられるスペースを小さくすることができ、より一層、装置の小型化が可能である。
【００８０】
また、垂直走査系１９，水平走査系２１は、図１に示すように、各々映像信号供給回路３に接続され、映像信号供給回路３より出力される垂直同期信号５，水平同期信号６にそれぞれ同期してレーザ光を走査するように構成されている。
【００８１】
尚、本実施形態における垂直走査系１９及び水平走査系２１などは、入射した光束を、１次方向及びその１次方向に略垂直な２次方向に走査させることによって、前記フレームを形成する光走査装置の一例である。
【００８２】
尚、本実施形態における垂直走査系１９は、入射されるビーム光を垂直方向に走査させる１次走査手段の一例に相当し、本実施形態における水平走査系２１は、その垂直方向に走査されたビーム光を、水平方向に走査させる２次走査手段の一例に相当する。また、本実施形態における第２リレー光学系２０は、中継光学系（中継光学手段）の一例に相当する。
【００８３】
次に、本発明の一実施形態の網膜走査型ディスプレイ１が、外部からの映像信号を受けてから、観察者の網膜上に映像を投影するまでの過程について図１を用いて説明する。
【００８４】
図１に示すように、本実施形態の網膜走査型ディスプレイ１では、光源ユニット部２に設けられた映像信号供給回路３が外部からの映像信号の供給を受けると、映像信号供給回路３は、赤，緑，青の各色のレーザ光を出力させるためのＲ映像信号，Ｇ映像信号，Ｂ映像信号からなる映像信号４と、垂直同期信号５と、水平同期信号６とを出力する。Ｒレーザドライバ１０，Ｇレーザドライバ９，Ｂレーザドライバ８は各々入力されたＲ映像信号，Ｇ映像信号，Ｂ映像信号に基づいてＲレーザ１３，Ｇレーザ１２，Ｂレーザ１１に対してそれぞれの駆動信号を出力する。この駆動信号に基づいて、Ｒレーザ１３，Ｇレーザ１２，Ｂレーザ１１はそれぞれ強度変調されたレーザ光を発生し、各々をコリメート光学系１４に出力する。また、映像信号供給回路３は、後述するガルバノミラー１９ａの駆動状態を示すＢＤ信号（図示せず）に応じて、レーザ光を発生し、各々をコリメート光学系１４に出力するタイミングを制御する。つまり、このような網膜走査型ディスプレイ１（映像信号供給回路３）は、ガルバノミラー１９ａなどに光束を出射させるタイミングを制御することとなる。点光源から発生されるレーザ光は、このコリメート光学系１４によってそれぞれが平行光にコリメートされ、さらに、ダイクロイックミラー１５に入射されて１つの光束となるよう合成された後、結合光学系１６によって光ファイバ１７に入射されるよう導かれる。
【００８５】
光ファイバ１７によって伝搬されたレーザ光は、光ファイバ１７から第１リレー光学系１８によって導かれて垂直走査系１９に出射される。この出射されたレーザ光は、垂直走査系１９のガルバノミラー１９ａの偏向面１９ｂに入射される。ガルバノミラー１９ａの偏向面１９ｂに入射したレーザ光は垂直同期信号に同期して垂直方向に走査されて第２リレー光学系２０を介し、水平走査系２１のガルバノミラー２１ａの偏向面２１ｂに入射する。第２リレー光学系２０ではガルバノミラー１９ａの偏向面１９ｂとガルバノミラー２１ａの偏向面２１ｂとが共役の関係となるように調整され、また、ガルバノミラー１９ａの面倒れが補正されている。ガルバノミラー２１ａは、ガルバノミラー１９ａが垂直同期信号に同期すると同様に水平同期信号６に同期して、その偏向面２１ｂが入射光を水平方向に反射するように往復振動をしており、このガルバノミラー２１ａによってレーザ光は水平方向に走査される。垂直走査系１９及び水平走査系２１によって水平方向及び垂直方向に２次元に走査されたレーザ光は、ガルバノミラー２１ａの偏向面２１ｂと、観察者の瞳孔２４とが共役の関係となるように設けられた第３リレー光学系２２により観察者の瞳孔２４へ入射され、網膜上に投影される。観察者はこのように２次元走査されて網膜上に投影されたレーザ光による画像を認識することができる。尚、垂直走査系１９のガルバノミラー１９ａと、水平走査系２１のガルバノミラー２１ａとは、名称を同じように説明したが、光を走査するように其の反射面が揺動（回転）させられるものであれば、共振タイプ、非共振タイプ等、圧電駆動、電磁駆動、静電駆動等いずれの駆動方式によるものであってもよいことは言うまでもない。
【００８６】
［各種の光学系の構成］
上述したように、光ファイバ１７から出射されたビーム光を、２次元に走査しながら観察者の瞳孔２４へ導く各種の光学系の構成について図３から図５を用いて説明する。
【００８７】
各種の光学系には、図３から図５に示すように、光学部材として、第１全反射ミラー１０２、ガルバノミラー１９ａ、ハーフミラー１０４、凹面ミラー１０６、第２全反射ミラー１０８及びガルバノミラー２１ａなどが少なくとも含まれている。これら第１全反射ミラー１０２、ガルバノミラー１９ａ、ハーフミラー１０４、凹面ミラー１０６、第２全反射ミラー１０８及びガルバノミラー２１ａは、反射面が水平方向に向かう状態で、垂直方向に向かって立設されている。
【００８８】
第１全反射ミラー１０２は、光ファイバ１７から出射されたビーム光を、全反射させることによって、ガルバノミラー１９ａの偏向面１９ｂに導くとともに、ガルバノミラー１９ａの偏向面１９ｂで反射され、垂直方向に走査されたビーム光を、全反射させることによって、ハーフミラー１０４に導く機能を有する。尚、この第１全反射ミラー１０２は、上述した第１リレー光学系１８、第２リレー光学系２０に含まれている。
【００８９】
ガルバノミラー１９ａは、水平方向に延びる符号Ａ１を軸として、符号Ｂ１に示す方向に回動駆動することによって、第１全反射ミラー１０２によって反射されたビーム光を、偏向面１９ｂで反射させることによって、垂直方向に走査して、第１全反射ミラー１０２に導く。
【００９０】
ハーフミラー１０４は、第１全反射ミラー１０２によって反射されたビーム光を、透過することによって、凹面ミラー１０６に導くとともに、凹面ミラー１０６によって反射されたビーム光を反射することによって、第２全反射ミラー１０８に導く機能を有する。尚、このハーフミラー１０４は、上述した第２リレー光学系２０に含まれている。
【００９１】
凹面ミラー１０６は、拡散しているビーム光を集光させる集光ミラーであり、第１全反射ミラー１０２によって反射され、ハーフミラー１０４を透過したビーム光を、全反射させ、集光させてハーフミラー１０４に導く機能を有する。尚、この凹面ミラー１０６は、上述した第２リレー光学系２０に含まれている。
【００９２】
第２全反射ミラー１０８は、凹面ミラー１０６で集光され、ハーフミラー１０４で反射されたビーム光を、全反射させることによって、ガルバノミラー２１ａの偏向面２１ｂに導く機能を有する。尚、この第２全反射ミラー１０８は、上述した第２リレー光学系２０に含まれている。
【００９３】
ガルバノミラー２１ａは、垂直方向に延びる符号Ａ２を軸として、符号Ｂ２に示す方向に回動駆動することによって、第２全反射ミラー１０８によって反射されたビーム光を、偏向面２１ｂで反射させることによって、水平方向に走査して、第３リレー光学系２２（図１参照）に導くこととなる。
【００９４】
このような各種の光学系において、光ファイバ１７から出射されたビーム光は、集光され、第１全反射ミラー１０２に入射される。この第１全反射ミラー１０２に入射されたビーム光は、全反射されて、集光しながら、垂直走査系１９のガルバノミラー１９ａに入射される。垂直走査系１９のガルバノミラー１９ａに入射されたビーム光は、垂直方向に走査されながら、第１全反射ミラー１０２に入射される。このビーム光は、ガルバノミラー１９ａから第１全反射ミラー１０２に入射されるまでに、集光された後に、結像し、拡散されることとなる。そして、第１全反射ミラー１０２に入射されたビーム光は、全反射されて、拡散しながらハーフミラー１０４に入射される。尚、このガルバノミラー１９ａから入射されるビーム光と、上述した光ファイバ１７から出射されたビーム光とでは、第１全反射ミラー１０２でも異なる箇所で反射されることとなる。そして、第１全反射ミラー１０２からハーフミラー１０４に入射されたビーム光は、所定の割合でハーフミラー１０４において透過され、拡散しながら凹面ミラー１０６に入射される。凹面ミラー１０６に入射されたビーム光は、入射される前まで拡散されていたが、反射させることによって、集光しながらハーフミラー１０４に入射される。凹面ミラー１０６からハーフミラー１０４に入射されたビーム光は、所定の割合でハーフミラー１０４において反射され、集光しながら第２全反射ミラー１０８に入射される。第２全反射ミラー１０８に入射されたビーム光は、全反射されて、集光しながら水平走査系２１のガルバノミラー２１ａに入射される。水平走査系２１のガルバノミラー２１ａに入射されたビーム光は、水平方向に走査され、集光しならが第３リレー光学系２２（図１参照）に入射されることとなる。このように、垂直走査系１９のガルバノミラー１９ａと、水平走査系２１のガルバノミラー２１ａとの間で、拡散したビーム光が、凹面ミラー１０６で集光されることとなる。
【００９５】
つまり、第２リレー光学系２０は、垂直走査系１９と水平走査系２１との間の光路に設けられ、垂直走査系１９によって１次方向に走査させた光束を水平走査系２１に導く凹面ミラー１０６を少なくとも含んでいる。従って、詳しく後述するが、凹面ミラーを含まずに、例えば、拡散する光束を平行な光束とする第１の凸面レンズや、その平行な光束を集光させる第２の凸面レンズなどを用いた従来の構成と比べて、これらのような凸面レンズなどを用いる必要もないため、装置の小型化が可能である。また、色収差などを考慮する必要もなく設計可能である。
【００９６】
また、垂直走査系１９におけるガルバノミラー１９ａと後述する凹面ミラー１０６との間にハーフミラー１０４が設けられている。従って、１次走査手段と集光ミラーとの間にハーフミラーを用いることによって、光路を折りたたむことができるため省スペース化を効率よく実現することができ、より一層、装置の小型化が可能である。
【００９７】
特に、垂直走査系１９のガルバノミラー１９ａは、第１全反射ミラー１０２との間において、図６（ａ）に示すように、符号Ｃ１、Ｃ２、Ｃ３に示すように、ビーム光を垂直方向に走査し、図６（ｂ）に示すように、垂直走査系１９によって走査されるビーム光を含む符号Ｄに示す面が、垂直走査面となる。また、具体的には、図６（ｃ）に示すように、垂直走査系１９のガルバノミラー１９ａから第１全反射ミラー１０２に向かう垂直方向の面が、垂直走査系１９によって走査されるビーム光を含む垂直走査面Ｄとなり、垂直走査面中の略中心線を走査中心線Ｆとする。尚、本実施形態における垂直走査面とは、垂直走査されてから水平走査されるまでの光束を含む走査面であり、垂直走査系１９のガルバノミラー１９ａから水平走査系２１のガルバノミラー２１ａまでの光路の走査面である。
【００９８】
また、垂直走査系１９のガルバノミラー１９ａに対して入射するビーム光の入射方向は、図６（ｃ）に示すように、符号Ｅで示す方向である。つまり、垂直走査面Ｄに対して交差する方向からビーム光を入射させることとなる。従って、例えば、１次走査手段に入射させる光学系や、１次走査手段と２次走査手段との間の中継光学系、２次走査手段、２次走査手段から眼の網膜まで光束を導く光学系など、各種の光学系や走査手段を設ける場合に、それらが１次走査面と干渉することなく、光束の光路を確保するためのスペースを設けやすく、より一層、装置の小型化が可能である。
【００９９】
また、第１全反射ミラー１０２、ハーフミラー１０４、凹面ミラー１０６、第２全反射ミラー１０８などを含む第２リレー光学系２０は、図６（ｂ）及び図６（ｃ）に示すように、走査中心線Ｆが垂直走査面Ｄに対して交差するように設けられている。従って、例えば、走査中心線と１次走査面とが交差することによって、集光されていた光束が拡散され、その拡散された光束が集光ミラーによって集光され、１次走査手段に入射させる光学系や、１次走査手段と２次走査手段との間の中継光学系など、各種の光学系や走査手段を設ける場合に、光束の光路を確保するためのスペースを設けやすく、より一層、装置の小型化が可能である。
【０１００】
このようなことは、光学装置１００が、光学部材としての、第１全反射ミラー１０２、ガルバノミラー１９ａ、ハーフミラー１０４、凹面ミラー１０６、第２全反射ミラー１０８、ガルバノミラー２１ａによりレーザ光を折り曲げることによってなされる。これらの光学部材はレーザ光を反射する反射部材として機能するものである。
【０１０１】
支持構造５０は、後述するように環状をなし、第１全反射ミラー１０２、ガルバノミラー１９ａ、第２全反射ミラー１０８及びガルバノミラー２１ａを支持する支持部材５１と、ハーフミラー１０４及び凹面ミラー１０６を下方から支持するとともに支持部材５１を下方から保持し、支持部材５１の下側の全体を塞ぐ、図８に模式的に示す底板部材としての保持部材５２と、保持部材５２に対向するように配設され支持部材５１の上側の全体を塞ぐ、図示しない天板部材とを有している。支持部材５１、保持部材５２及び天板部材は一体成形された樹脂製であり、折り曲げられたビーム光を囲む箱形状をなしている。
【０１０２】
図３に示すように、支持部材５１は、環状をなし互いに所定の角度をなすように複数備えられた所定厚さの壁部５１ａ、５１ｂ、５１ｃ、５１ｄ、５１ｅ、５１ｆ、５１ｇ、５１ｈと、壁部５１ａ、５１ｂ、５１ｃ、５１ｄ、５１ｅ、５１ｆ、５１ｇ、５１ｈの外面としてそれぞれ形成された、壁面５１ａ’、５１ｂ’、５１ｃ’、５１ｄ’、５１ｅ’、５１ｆ’、５１ｇ’、５１ｈ’を有している。
【０１０３】
壁面５１ａ’、５１ｂ’、５１ｃ’、５１ｄ’、５１ｅ’、５１ｆ’、５１ｇ’、５１ｈ’は、第１全反射ミラー１０２、ガルバノミラー１９ａ、ハーフミラー１０４、凹面ミラー１０６、第２全反射ミラー１０８、ガルバノミラー２１ａによって折り曲げられたレーザ光を囲むように環状に設けられている。よって、第１全反射ミラー１０２、ガルバノミラー１９ａ、ハーフミラー１０４、凹面ミラー１０６、第２全反射ミラー１０８、ガルバノミラー２１ａ折り曲げられたレーザ光によって形成される光路を囲むように、壁部５１ａ、５１ｂ、５１ｃ、５１ｄ、５１ｅ、５１ｆ、５１ｇ、５１ｈ、及び、壁面５１ａ’、５１ｂ’、５１ｃ’、５１ｄ’、５１ｅ’、５１ｆ’、５１ｇ’、５１ｈ’が無端状の環状とされている。
【０１０４】
支持部材５１は、壁部５１ｃの外側の面である壁面５１ｃ’に第１全反射ミラー１０２を、壁部５１ｅの外側の面である壁面５１ｅ’にガルバノミラー１９ａを、壁部５１ｇの外側の面である壁面５１ｇ’に第２全反射ミラー１０８を、壁部５１ｈの外側の面である壁面５１ｈ’にガルバノミラー２１ａを支持している。
【０１０５】
図４、図５に示すように、第１全反射ミラー１０２を支持した壁部５１ｃに第１全反射ミラー１０２により折り曲げられるビーム光を透過する開口５１ｃ”を有しており、ガルバノミラー１９ａを支持した壁部５１ｅにガルバノミラー１９ａにより折り曲げられるビーム光を透過する開口５１ｅ”を有しており、第２全反射ミラー１０８を支持した壁部５１ｇに第２全反射ミラー１０８により折り曲げられるビーム光を透過する開口５１ｇ”を有しており、ガルバノミラー２１ａを支持した壁部５１ｈにガルバノミラー２１ａにより折り曲げられるビーム光を透過する開口５１ｈ”を有している。
【０１０６】
支持部材５１は、光学装置１００、言い換えると支持部材５１内にビーム光が入射する入射壁面として壁面５１ａ’を有しており、かかるビーム光を入射させるための入射開口５１ａ”を有している。
支持部材５１は、光学装置１００、言い換えると支持部材５１からビーム光が出射する出射壁面として壁面５１ｄ’を有しており、かかるビーム光を出射させるための出射開口５１ｄ”を有している。
入射壁面５１ａ’と出射壁面５１ｄ’とは互いに対向するように配設されている。そのため、支持部材５１が小型化され、光学装置１００の小型化に寄与している。
【０１０７】
支持部材５１は、第１全反射ミラー１０２を支持した壁面５１ｃ’とガルバノミラー１９ａを支持した壁面５１ｅ’とを、出射壁面５１ｄ’に隣接された複数の隣設壁面として有している。そのため、支持部材５１内でビーム光が折り曲げられた上で出射されることとなり、支持部材５１が小型化され、光学装置１００の小型化に寄与している。小型化の観点からは、本形態のように、出射壁面の両側において隣る壁面に光学部材を支持することが望ましいが、少なくとも一方において隣る壁面に光学部材を支持していれば良い。
【０１０８】
支持部材５１は、保持部材５２に対し、水平走査系２１のガルバノミラー２１ａによる走査面と垂直な方向に立設されている。よって、壁部５１ａ、５１ｂ、５１ｃ、５１ｄ、５１ｅ、５１ｆ、５１ｇ、５１ｈ、壁面５１ａ’、５１ｂ’、５１ｃ’、５１ｄ’、５１ｅ’、５１ｆ’、５１ｇ’、５１ｈ’は何れも、かかる走査面と垂直である。
【０１０９】
また、壁部５１ａ、５１ｂ、５１ｃ、５１ｄ、５１ｅ、５１ｆ、５１ｇ、５１ｈの何れもが、他の複数の壁部と隣設されており、または他の単数の壁部、保持部材５２及び天板部材と隣設され連設されている。これにより、各壁部５１ａ、５１ｂ、５１ｃ、５１ｄ、５１ｅ、５１ｆ、５１ｇ、５１ｈの成形精度が高く、各壁部５１ａ、５１ｂ、５１ｃ、５１ｄ、５１ｅ、５１ｆ、５１ｇ、５１ｈ相互間の位置決め精度が高く、後述するようにこれを基準として取り付けられる第１全反射ミラー１０２、ガルバノミラー１９ａ、ハーフミラー１０４、凹面ミラー１０６、第２全反射ミラー１０８、ガルバノミラー２１ａの位置決め精度の向上に寄与する。
【０１１０】
壁面５１ａ’、５１ｂ’、５１ｃ’、５１ｄ’、５１ｅ’、５１ｆ’、５１ｇ’、５１ｈ’は何れも、折り曲げられたビーム光によって形成される仮想の基準面に垂直である。かかる基準面は、垂直走査系１９のガルバノミラー１９ａによって走査されるビーム光の走査範囲における中心においてビーム光が走査された場合に、ビーム光を含む平面である。そのため、垂直走査系１９は、ガルバノミラー１９ａによって走査されるビーム光の走査範囲における中心においてビーム光を走査した場合に、走査されたビーム光が同一平面上にあるように調整されている。
【０１１１】
これにより、壁面５１ａ’、５１ｂ’、５１ｃ’、５１ｄ’、５１ｅ’、５１ｆ’、５１ｇ’、５１ｈ’の配設方向を基準に第１全反射ミラー１０２、ガルバノミラー１９ａ、ハーフミラー１０４、凹面ミラー１０６、第２全反射ミラー１０８、ガルバノミラー２１ａを取付ければ、精度良く位置決めすることが可能となる。
【０１１２】
第１全反射ミラー１０２、ガルバノミラー１９ａ、ハーフミラー１０４、凹面ミラー１０６、第２全反射ミラー１０８、ガルバノミラー２１ａは、かかる基準面に直交する方向において対称となるように配設されている。これにより、第１全反射ミラー１０２、ガルバノミラー１９ａ、ハーフミラー１０４、凹面ミラー１０６、第２全反射ミラー１０８、ガルバノミラー２１ａが、精度良く位置決めされる。
【０１１３】
開口５１ｃ”は、その壁部５１ｃに支持する第１全反射ミラー１０２より小さく、開口５１ｅ”は、その壁部５１ｅに支持するガルバノミラー１９ａより小さく、開口５１ｇ”は、その壁部５１ｇに支持する第２全反射ミラー１０８より小さく、開口５１ｈ”は、その壁部５１ｈに支持するガルバノミラー２１ａより小さい。そのため、壁部５１ｃ、壁部５１ｅ、壁部５１ｇ、壁部５１ｈはそれぞれ、開口５１ｃ”、開口５１ｅ”、開口５１ｇ”、開口５１ｈ”それぞれの周縁に対応する壁面５１ｃ’、５１ｅ’、５１ｇ’、５１ｈ’上で、第１全反射ミラー１０２、ガルバノミラー１９ａ、第２全反射ミラー１０８、ガルバノミラー２１ａの縁部をそれぞれ支持している。
【０１１４】
よって、第１全反射ミラー１０２、ガルバノミラー１９ａ、第２全反射ミラー１０８、ガルバノミラー２１ａは安定した状態で精度良く位置決めされる。なお、位置決め精度の観点からは、開口を有する壁部が、その支持した光学素子を複数個所、言い換えると複数点で支持していれば良く、特に本形態のように開口の周囲に対応する面で支持することが好ましい。第１全反射ミラー１０２、ガルバノミラー１９ａ、第２全反射ミラー１０８、ガルバノミラー２１ａは、壁面５１ｃ’、５１ｅ’、５１ｇ’、５１ｈ’に対し、接着剤によって固定される。
【０１１５】
図７に示すように、位置決め精度の観点からは、壁部５１ｘが、その壁面５１ｘ’に対する光学部材Ｍの位置決めを行う位置決め手段としてのリブ５３を備えていることが望ましい。リブ５３は、壁部５１ｘに形成された開口５１ｘ”の周縁近傍の位置において、壁面５１ｘ’に、一体成形により突設されている。リブ５３は、光学部材Ｍの周縁全体に対応するように配設されているが、各側縁の中央にそれぞれ１つ設けてもよいし、対向する側縁の中央にそれぞれ設けてもよい。位置決め手段は壁部５１ｘに形成した、光学部材Ｍの形状に対応した凹部であっても良い。
【０１１６】
同図において、光学部材Ｍは、第１全反射ミラー１０２、ガルバノミラー１９ａ、第２全反射ミラー１０８、ガルバノミラー２１ａに対応しており、壁部５１ｘは、壁部５１ｃ、５１ｅ、５１ｇ、５１ｈに対応しており、壁面５１ｘ’は、壁面５１ｃ’、５１ｅ’、５１ｇ’、５１ｈ’に対応しており、開口５１ｘ”は、開口５１ｃ”、開口５１ｅ”、開口５１ｇ”、開口５１ｈ”に対応している。これは図８以下においても同様である。
【０１１７】
リブ５３を設けた構成において、光学部材Ｍがリブ５３によって壁面５１ｘ’に対し、例えば嵌合状態となって、固定支持される場合には、接着剤による固定を行う必要はないが、接着剤で固定しても良い。
【０１１８】
各壁部５１ａ、５１ｂ、５１ｃ、５１ｄ、５１ｅ、５１ｆ、５１ｇ、５１ｈの厚みは、互いに同一の厚みであり、光学部材たる第１全反射ミラー１０２、ガルバノミラー１９ａ、第２全反射ミラー１０８、ガルバノミラー２１ａを支持した壁部５１ｃ、５１ｅ、５１ｇ、５１ｈの厚みも互いに同一であるが、かかる厚さは異なっていても良い。ビーム光の光路長が所望の光路長となるように、光学部材たる第１全反射ミラー１０２、ガルバノミラー１９ａ、第２全反射ミラー１０８、ガルバノミラー２１ａを支持した壁部５１ｃ、５１ｅ、５１ｇ、５１ｈの厚みを設定すれば、治具等を用いることなく容易に所望の光路を得る。
【０１１９】
各壁部５１ａ、５１ｂ、５１ｃ、５１ｄ、５１ｅ、５１ｆ、５１ｇ、５１ｈの高さは、互いに同一の高さであり、光学部材たる第１全反射ミラー１０２、ガルバノミラー１９ａ、第２全反射ミラー１０８、ガルバノミラー２１ａを支持した壁部５１ｃ、５１ｅ、５１ｇ、５１ｈの高さも互いに同一であるが、かかる高さは、その支持した第１全反射ミラー１０２、ガルバノミラー１９ａ、第２全反射ミラー１０８、ガルバノミラー２１ａの大きさ、形状に対応するように異ならせても良い。厚さも、高さとともに、または高さに代えてガルバノミラー２１ａの大きさ、形状に対応するように異ならせても良い。
【０１２０】
各壁面５１ａ’、５１ｂ’、５１ｃ’、５１ｄ’、５１ｅ’、５１ｆ’、５１ｇ’、５１ｈ’の内側、すなわち本形態においては各壁部５１ａ、５１ｂ、５１ｃ、５１ｄ、５１ｅ、５１ｆ、５１ｇ、５１ｈの内側の面は、黒色に塗られている。これはビーム光の乱反射等によってゴースト等が発生することを防止するためである。黒色に塗布する代わりに、支持部材５１を構成する樹脂そのものを黒色としても良い。
【０１２１】
ここで、既に述べたように、支持部材５１、保持部材５２及び底板部材は一体成形され、折り曲げられたビーム光を囲む箱形状をなしている。箱形状とは、図８に示すように、少なくとも４つの壁部をなす、複数の壁部５１ｘ及び保持部材５２によって構成される形状を含む形状であって、複数の壁部５１ｘの何れもが、他の複数の壁部５１ｘと隣設され連設されており、または他の単数の壁部５１ｘ及び保持部材５２と隣設され連設された形状である。よって、箱形状の最小単位は図８に示す形状であって、光学部材の数等に応じて壁部５１ｘの数、支持部材５１の形状が決定される。
【０１２２】
箱形状では、どの壁部５１ｘも複数の壁部５１ｘ等と一体であるので、どの壁部５１ｘもその形成に関する精度が高く、これに取付けられる光学部材の位置決め精度の向上に寄与する。なお、かかる箱形状の最小単位は、保持部材５２に代え、または保持部材５２とともに底板部材を含むものであっても良い。
【０１２３】
複数の壁部５１ｘのうちの一部の壁部５１ｘは、他の壁部５１ｘに対して着脱自在であっても良い。この場合、かかる一部の壁部５１ｘを含むユニットと、かかる他の壁部５１ｘを含むユニットを一体化することで、支持部材５１が組み立てられる。各ユニットを構成する壁部５１ｘに光学部材を取付けた状態で一体化を行なうようにすれば、光学部材を壁部５１ｘに取付けることを容易化することができる。
【０１２４】
とくに、かかる各ユニットを箱状部とし、これら箱状部を組み立てて支持部材５１を構成することとすれば、各ユニットにおいてどの壁部５１ｘもその形成に関する精度が高く、これに取付けられる光学部材の位置決め精度の向上に寄与する。ここで、箱状部とは、複数の壁部５１ｘを含むか、単数の壁部５１ｘと保持部材５２または天板部材とを含む構成をいう。
【０１２５】
図９に示すように、開口５１ｘ”は、その周縁が壁部５１ｘの内側に向けて拡開したテーパー形状となっていても良い。この構成によれば、開口５１ｘ”の空間が小さくなり、支持部材５１の強度が向上するとともに、壁面５１ｘ’における光学部材Ｍに対する接触面積を大きくすることができ、位置決め精度を向上することにも寄与する。この場合も上述のリブ５３等の位置決め部材を設けてもよい。
【０１２６】
図１０に示すように、壁面５１ｘ’に対する光学部材Ｍの位置決めを行う位置調整手段６０を有していても良い。位置調整手段６０は、光学部材Ｍを一体に支持したホルダ６１と、ホルダ６１と一体をなしホルダ６１を介して光学部材Ｍを壁部５１ｘに一体化するための取り付け部材６２と、取り付け部材６２を壁部５１ｘに回動自在に一体化するためのピン６３と、取り付け部材６２を壁部５１ｘに固定するためのねじ６３とを有している。
【０１２７】
よって、取り付け部材６２を、ピン６３を中心にして回動し、光学部材Ｍを壁面５１ｘ’に対して所望の位置を占める状態とした上で、ねじ６３によって取り付け部材６２を壁部５１ｘに固定することで、光学部材Ｍを壁面５１ｘ’に対して所望の位置に正確に位置決めすることができる。
【０１２８】
上述の形態においては、支持部材５１が壁部５１ａ、５１ｂ、５１ｃ、５１ｄ、５１ｅ、５１ｆ、５１ｇ、５１ｈまたは壁部５１ｘを有することとしたが、支持部材５１は中実であっても良い。この場合、中実の支持部材５１の外壁面が壁面５１ａ’、５１ｂ’、５１ｃ’、５１ｄ’、５１ｅ’、５１ｆ’、５１ｇ’、５１ｈ’または壁面５１ｘ’をなす。この場合も、上述のリブ５３等の位置決め部材、位置調整手段６０を配設することができる。支持部材５１は透明の樹脂で構成する。
【０１２９】
また、この場合、壁面５１ａ’、５１ｂ’、５１ｃ’、５１ｄ’、５１ｅ’、５１ｆ’、５１ｇ’、５１ｈ’または壁面５１ｘ’の内側を黒色とするには、壁面５１ａ’、５１ｂ’、５１ｃ’、５１ｄ’、５１ｅ’、５１ｆ’、５１ｇ’、５１ｈ’または壁面５１ｘ’を黒色に塗布するか、黒色の部材で囲めばよく、これによって実質的に壁面５１ａ’、５１ｂ’、５１ｃ’、５１ｄ’、５１ｅ’、５１ｆ’、５１ｇ’、５１ｈ’または壁面５１ｘ’の内側が黒色になる。ただし、開口５１ａ”、開口５１ｃ”、開口５１ｄ”、開口５１ｅ”、開口５１ｇ”、開口５１ｈ”または開口５１ｘ”、に対応する部分以外の部分を黒色とする。
【０１３０】
一体成形された支持部材５１、保持部材５２及び天板部材は、光学装置１００の筐体とも言うべき部材であって、第１全反射ミラー１０２、ガルバノミラー１９ａ、ハーフミラー１０４、凹面ミラー１０６、第２全反射ミラー１０８及びガルバノミラー２１ａによって折り曲げられたビーム光の全周囲を囲むように中空状の部材として備えられている。
【０１３１】
これにより、迷光が外部に漏れることがなく、よって網膜走査型ディスプレイ１の使用者である観察者の眼に予期せぬ光が入射して、観察者が認識する画像の画質を劣化ないし低下させることが防止される。これを高精度に担保するため開口５１ｃ”、開口５１ｅ”、開口５１ｇ”、開口５１ｈ”はそれぞれその全体を第１全反射ミラー１０２、ガルバノミラー１９ａ、第２全反射ミラー１０８及びガルバノミラー２１ａによって閉じられている。
【０１３２】
なお、このことは、光学装置１００内、支持構造５０内の防塵性を高めることにも寄与しており、防塵性の更なる向上のため、開口５１ａ”、開口５１ｄ”は、それぞれその全体をハーフミラー、ガラス等によって閉じることが望ましい。開口５１ａ”を、ビーム光の光学装置１００内、支持構造５０内への入射のみを許容するハーフミラーで閉じることは、防塵性のみならず、上述の画質の劣化ないし低下の防止にも寄与する。開口５１ｄ”をハーフミラーで閉じるときは、ビーム光の支持構造５０外への出射のみを許容するものとする。
【０１３３】
以上、本発明の好ましい実施の形態について詳述したが、本発明は係る特定の実施形態に限定されるものではなく、特許請求の範囲に記載された本発明の要旨の範囲内において、種々の変形・変更が可能である。
【０１３４】
たとえば、上述の実施形態では、入射壁部と出射壁部との両者を有しているが、上述のように支持部材を箱形状の最小単位等とした場合等には、そのいずれかのみを備えた構成となることがある。
【０１３５】
上述した実施形態においては、垂直走査系１９及び水平走査系２１は、凹面ミラー１０６からその凹面ミラー１０６の曲率半径と同等の光路距離となる位置に設けられたが、これに限らない。
【０１３６】
上述した実施形態においては、凹面ミラーなどの集光ミラーを、垂直走査系１９と水平走査系２１との間、水平走査系２１と瞳孔２４との間にそれぞれ設けられたが、これに限らず、例えば、水平走査系２１と瞳孔２４との間に集光ミラーを設けなくても、少なくとも、垂直走査系１９と水平走査系２１との間に集光ミラーを設ければよい。
【０１３７】
上述した実施形態においては、中継光学系の一例として、上述したような第２リレー光学系２０を採用したが、これに限らず、例えば、第２全反射ミラー１０８を備えない構成など、上述した実施形態以外の構成であってもよい。また、例えば、垂直走査系１９と凹面ミラー１０６との間にハーフミラー１０４が設けられたが、これに限らず、例えば、垂直走査系１９と凹面ミラー１０６との間にハーフミラー１０４が設けられなくてもよい。また、例えば、凹面ミラー１０６と水平走査系２１との間など、他の位置にハーフミラー１０４が設けられていてもよい。
【０１３８】
上述した実施形態においては、垂直走査系１９によって垂直方向に走査されるビーム光を含む垂直走査面に対して交差する同一平面上に、第１全反射ミラー１０２、ハーフミラー１０４、凹面ミラー１０６、第２全反射ミラー１０８などの中継光学系が設けられたが、これに限らず、例えば、これらのような中継光学系のうちの一部又は全部が、垂直走査系によって垂直方向に走査されるビーム光を含む垂直走査面に対して交差する同一平面上に設けられなくてもよい。また、本実施形態においては、１次走査面に対して交差する方向から光束を入射させたが、これに限らず、例えば、１次走査面に対して交差する方向から光束を入射させなくてもよい。
【０１３９】
上述した実施形態においては、垂直走査系１９によって垂直方向に走査される垂直走査角度は、水平走査系２１によって水平方向に走査される水平走査角度よりも小さく設定されていたが、これに限らず、例えば、垂直走査角度が、水平走査角度よりも大きく又は同じように設定されていてもよい。
【０１４０】
上述した実施形態においては、ビーム光を先に垂直方向に垂直走査系１９によって走査され、その後に、ビーム光を先に水平方向に水平走査系２１によって走査される構成であったが、これに限らず、例えば、ビーム光を先に水平方向に水平走査系によって走査され、その後に、ビーム光を先に垂直方向に垂直走査系によって走査される構成であってもよい。
【０１４１】
上述した実施形態においては、入射されるビーム光を垂直方向と水平方向とに走査させるように構成したが、これに限らず、例えば、入射されるビーム光を、１次方向に走査させるとともに、その１次方向と交差する２次方向に走査させるように構成してもよい。また、本実施形態においては、凹面ミラーを集光ミラーの一例に採用したが、これに限らない。
【０１４２】
上述した実施形態においては、上述したような光学装置を備え、画像信号に応じて変調された光束を、光学装置によって１次方向及び２次方向に走査することで、眼の網膜上に画像を投影し、画像を表示する網膜走査型ディスプレイ１（網膜走査型の画像表示装置の一例）について説明したが、これに限らず、例えば、眼の網膜に画像を直接的に投影しなくても、上述したような光学装置を備え、画像信号に応じて変調された光束を、その光走査装置によって１次方向及び２次方向に走査することで画像をスクリーン上などに投影表示するスクリーン走査型の画像表示装置、ディスプレイ等（画像表示装置の一例）に本発明を採用してもよい。また本発明を適用した光学装置は、レーザプリンタ内でレーザビームを走査する光走査装置等の光学装置にも応用できる。
【０１４３】
開口の形状は、開口の体積を減じ、強度を向上する観点から、上述した実施形態の方形状と異なり、円柱状としても良い。
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１４４】
【図１】本実施形態における画像表示装置としての網膜走査型の画像表示装置を示す概略構成図である。
【図２】本実施形態におけるビーム光の走査態様を示す概略図である。
【図３】本実施形態における光学系とレーザ光の光路とを示すとともに支持部材の構成を示す平面図である。
【図４】本実施形態における光学系とレーザ光の光路とを示すとともに支持部材の構成を示す斜視図である。
【図５】本実施形態における光学系とレーザ光の光路とを示すとともに支持部材の構成を示す斜視図である。
【図６】本実施形態における光学系とレーザ光の光路とを示す図である。
【図７】位置決め手段の構成を示す側断面図である。
【図８】箱形状の斜視図である。
【図９】壁部に形成された開口部の周縁が壁部の内側に向けて拡開した構成を示す側断面図である。
【図１０】位置調整手段の構成を示す平面図である。
【符号の説明】
【０１４５】
１    画像表示装置
１９  第１の走査系
１９ａ、２１ａ、１０２、１０４、１０６、１０８、Ｍ    光学部材、反射部材
２１  第２の走査系
２４  瞳孔
５１    支持部材
５１ａ、５１ｂ、５１ｃ、５１ｄ、５１ｅ、５１ｆ、５１ｇ、５１ｈ、５１ｘ    壁部
５１ａ’    入射壁面
５１ｃ’    隣設壁面
５１ｄ’    入射壁面
５１ｅ’    隣設壁面
５１ａ’、５１ｂ’、５１ｃ’、５１ｄ’、５１ｅ’、５１ｆ’、５１ｇ’、５１ｈ’、５１ｘ’    壁面
５１ａ”、５１ｃ”、５１ｄ”、５１ｅ”、５１ｇ”、５１ｈ”、５１ｘ    開口
５２    保持部材
５３    位置決め手段
６０    位置調整手段
１００    光学装置
【図１】
2007178944.tif 000003
【図２】
2007178944.tif 000004
【図３】
2007178944.tif 000005
【図４】
2007178944.tif 000006
【図５】
2007178944.tif 000007
【図６】
2007178944.tif 000008
【図７】
2007178944.tif 000009
【図８】
2007178944.tif 000010
【図９】
2007178944.tif 000011
【図１０】
2007178944.tif 000012
【手続補正書】
【提出日】平成18年1月12日(2006.1.12)
【手続補正１】
【補正対象書類名】明細書
【補正対象項目名】０００２
【補正方法】変更
【補正の内容】
【０００２】
従来、画像を表示するための画像表示装置等には、ミラー等の光学部材を備え光束を折り曲げるための光学装置などが含まれている。光学装置は、かかる光学部材を支持する支持構造を有しているが、従来の支持構造は、光学部材を下方又は上方からいわゆる片持ちによって支持するものや、光学部材を上下方向から挟むようにして支持するものであった（光学部材を上方から片持ちによって支持するものについては、たとえば〔特許文献１〕参照）。    
【特許文献１】特開平９−１０１４７７号公報